(57)【要約】【課題】  従来は電波が届かない場所等では、ＧＰＳ信号を受信できないため、ハンドオーバができない。また、通常のハンドオーバは電波の強度を見てどの基地局とやり取りをするかを判断するため、突然通信劣化する場合がある。【解決手段】  携帯電話２１が、基地局１１を介して相手端末と通話しながら、基地局１３の無線ゾーン１６方向へ移動する場合、携帯電話２１は自己の位置情報、移動方位及び移動速度と、現在通信中の基地局情報を人工衛星１０へ送信する。人工衛星１０は、受信情報と移動先の情報に基づいて、携帯電話２１の移動方向に存在するフェージング領域１７を検出し、このフェージング領域１７におけるハンドオーバ情報を生成して、送信元の携帯電話２１へ返送する。携帯電話２１は上記のハンドオーバ情報を受信し、そのハンドオーバ情報に基づいて、無線ゾーン１５に入ると、基地局１３にハンドオーバする。【選択図】            図２
2006211286.tif 000002
【特許請求の範囲】
【請求項１】
最寄りの基地局との間で無線通信する第１の通信手段を備え、前記基地局に網を介して接続された相手端末との間で移動通信する携帯通信端末において、
他の携帯通信端末から無線送信された任意の送信先の送信信号を受信し、その受信信号の送信先が自端末でないときは、受信信号をそのまま前記送信先に中継送信する第２の通信手段を備えたことを特徴とする携帯通信端末。
【請求項２】
最寄りの基地局との間で無線通信する第１の通信手段を備え、前記基地局に網を介して接続された相手端末との間で移動通信する携帯通信端末において、
他の携帯通信端末から無線送信された任意の送信先の送信信号を受信し、その受信信号の送信先が自端末でないときは、受信信号をそのまま前記送信先に中継送信する第２の通信手段と、
人工衛星との間で通信する第３の通信手段と、
自端末の位置情報及び移動情報と通信中の基地局の情報とを取得する取得手段と、
取得した前記位置情報及び移動情報と前記通信中の基地局の情報を前記第３の通信手段を介して前記人工衛星へ送信し、前記第３の通信手段を介して受信した前記人工衛星から送信されたハンドオーバ情報に基づいて、前記相手端末との通信中に前記第１の通信手段又は前記第２の通信手段を選択して通信を行う制御手段と
を有することを特徴とする携帯通信端末。
【請求項３】
前記第２の通信手段は、受信した前記他の携帯通信端末から無線送信された送信信号の送信先が自端末であるときは、前記中継送信を行わず、受信信号の処理を行うことを特徴とする請求項１又は２記載の携帯通信端末。
【請求項４】
各々独自の無線ゾーンを有する複数の基地局と、前記複数の基地局のうち在圏する無線ゾーンを有する任意の基地局との間で無線通信すると共に、その任意の基地局に網を介して接続された相手端末との間で移動通信する携帯通信端末と、該携帯通信端末との間で通信する人工衛星とからなるハンドオーバシステムであって、
前記携帯通信端末は、
最寄りの基地局との間で無線通信する第１の通信手段と、
他の携帯通信端末から無線送信された任意の送信先の送信信号を受信し、その受信信号の送信先が自端末でないときは、受信信号をそのまま前記送信先に中継送信する第２の通信手段と、
前記人工衛星との間で通信する第３の通信手段と、
自端末の位置情報及び移動情報と通信中の基地局の情報とを取得する取得手段と、
取得した前記位置情報及び移動情報と前記通信中の基地局の情報とを前記第３の通信手段を介して前記人工衛星へ送信し、前記第３の通信手段を介して受信した前記人工衛星から送信されたハンドオーバ情報に基づいて、前記相手端末との通信中に前記第１の通信手段又は前記第２の通信手段を選択して通信を行う制御手段と
を有し、前記人工衛星は、
前記携帯通信端末から送信された前記位置情報及び移動情報と前記通信中の基地局の情報を受信する受信手段と、
少なくとも受信した前記位置情報及び移動情報と前記通信中の基地局の情報と、該移動情報が示す移動方向にある基地局の情報とに基づいて、前記ハンドオーバ情報を生成するハンドオーバ情報生成手段と、
生成した前記ハンドオーバ情報を前記携帯通信端末へ応答送信する送信手段とを有することを特徴とするハンドオーバシステム。
【請求項５】
前記ハンドオーバ情報生成手段は、前記移動情報が示す移動方向にあるフェージング領域を検出した時は、該フェージング領域に隣接する複数の基地局の無線ゾーンのうち、前記携帯通信端末と良好な通信が可能な無線ゾーンを持つ基地局にハンドオーバさせるハンドオーバ情報を生成することを特徴とする請求項４記載のハンドオーバシステム。
【請求項６】
前記携帯通信端末は、ハンドオーバ先の基地局の無線ゾーンに在圏しない時は、該ハンドオーバ先の基地局の無線ゾーンに在圏する他の携帯通信端末が備える前記第２の通信手段を用いて、該他の携帯通信端末を中継局として前記ハンドオーバ先の基地局と無線通信することを特徴とする請求項４又は５記載のハンドオーバシステム。
【発明の詳細な説明】
【技術分野】
【０００１】
本発明は携帯通信端末及びそれを用いたハンドオーバシステムに係り、特に電波中継機能を有する携帯通信端末及びそれを用いたハンドオーバシステムに関する。
【背景技術】
【０００２】
携帯電話機等の携帯通信端末は、相手端末と通信しながら移動するとき、現在通信中の基地局のゾーンから隣接する基地局のゾーン方向へ移動する際に受信状態の悪化による通話中断を防止するために、受信条件の良好なゾーンの基地局との通信に切り換えるハンドオーバを行う。
【０００３】
このとき、携帯通信端末が、例えば全地球測位システム（ＧＰＳ：Global Positioning System）を構成する人工衛星（ＧＰＳ衛星）から送信されるＧＰＳ信号を受信して、その受信ＧＰＳ信号に基づいて、現在位置の位置情報を計算し、その位置情報を電力情報と共に基地局に送信し、基地局は受信したそれら位置情報及び電力情報と共に、当該基地局の無線ゾーン内の建築物情報や気象情報などに基づいて、最適な基地局にハンドオーバを行うようにしたハンドオーバシスムでは、一部地域に対するハンドオーバ最適化のためのデータ変更を行う場合には、データ変更後のハンドオーバ不良が発生する場合がある。そこで、ハンドオーバ不良による通話断が多発する地域を特定し、その特定地域の位置情報及び特定地域内の携帯通信端末に最適なハンドオーバを可能にする特定ハンドオーバデータを予め記憶させたメモリを交換局側にそれぞれ設置しておき、一方、携帯通信端末にはＧＰＳ受信部を設けて位置情報を常に基地局を介して交換局に通報させ、交換局において特定地域に位置する携帯通信端末を識別したときに、特定ハンドオーバデータを携帯通信端末へ送信し強制的にハンドオーバを実行させるようにしたハンドオーバシステムが従来より知られている（例えば、特許文献１参照）。
【０００４】
また、道路を走行する車両に関係した専用の移動体通信プロトコルであるＤＳＲＣ（Dedicated Short Rang Communications）において、車両に搭載した移動局がＧＰＳ受信機を具備し、最初の基地局から報知された周波数情報及び位置情報を受信し、ＧＰＳ受信機のデータと受信した位置情報により基地局の無線ゾーンの切り替え場所を検出し、同時に次の基地局の周波数に切り替えることにより、無線の同期外れ検出によりハンドオーバを行う場合の無線ゾーン切り替えの際の通信の途絶の問題を解決して、基地局と移動局間の通信を継続して行うようにしたハンドオーバシステムも従来から知られている（例えば、特許文献２参照）。
【０００５】
一方、基地局の無線ゾーン外においても高い受信感度が維持できるように、中継機能を具備する構成の携帯通信端末が知られている（例えば、特許文献３参照）。この特許文献３には、中継機能を持つ携帯通信端末、あるいは電波中継装置が移動により通信が不安定となることを防ぐため、受信した電波信号レベルが低下した場合に、他の中継機能を持つ携帯通信端末、あるいは電波中継装置に接続を切り替えるハンドオフ制御手段を具備することも開示されている。
【０００６】
また、基地局と複数の移動局（携帯通信端末）とからなる無線通信システムにおいて、移動局が基地局の無線ゾーンの圏外へ移動した場合、基地局を中継した通信が不可能となるので、基地局中継通信モードから移動局相互間で直接通信を行う直接通信モードへ自動的に切り替え制御し、移動局が基地局の無線ゾーン内に戻った時には、自動的に直接通信モードから基地局中継通信モードへ切り替えるようにした無線通信システムも知られている（例えば、特許文献４参照）。
【０００７】
また、基地局や固定の中継局を設定せず、携帯通信端末を一時的に基地局や中継局として機能させ、ネットワークを構築するアドホックネットワークにおいて、複数の無線ゾーンがオーバーラップする場合に、互いの混信を防止する上で必要なチャネル数を算出するようにした無線通信システムも従来知られている（例えば、特許文献５参照）。
【０００８】
【特許文献１】特開平１０−２１５４７４号公報
【特許文献２】特開２００３−２８４１１５号公報
【特許文献３】特開２００４−１６６０２２号公報
【特許文献４】特開２００１−９５０４３号公報
【特許文献５】特開２００３−９２７７９号公報
【発明の開示】
【発明が解決しようとする課題】
【０００９】
しかるに、上記の特許文献１及び２記載の従来のハンドオーバシステムでは、地下街などの電波が届かない場所や透過できない場所では、ＧＰＳ衛星からのＧＰＳ信号を受信できないため、通信断又は圏外エリアになってしまい、ハンドオーバができないという問題がある。また、通常のハンドオーバは電波の強度を見てどの基地局とやり取りをするかを判断するため、突然通信劣化する場合がある。
【００１０】
更に、上記の特許文献３乃至５記載の発明を組み合わせたとしても、ハンドオーバシステムを構成する携帯通信端末が、通常の電話通信と電波中継処理をと同時にはできず、また、リアルタイムに変化するフェージング領域を検出して効果的にハンドオーバを実現する構成は得られない。
【００１１】
本発明は、以上の点に鑑みなされたもので、電波中継機能、衛星信号受信機能、人工衛星との送受信機能とを有し、人工衛星からの信号に基づいて、通話中またはデータ通信中の突然の通信劣化を防ぐことができる携帯通信端末及びそれを用いたハンドオーバシステムを提供することを目的とする。
【００１２】
また、本発明の他の目的は、圏外エリアを圏内エリアにできることから基地局の設置台数を削減し得る携帯通信端末及びそれを用いたハンドオーバシステムを提供することを目的とする。
【課題を解決するための手段】
【００１３】
上記の目的を達成するため、第１の発明は、最寄りの基地局との間で無線通信する第１の通信手段を備え、基地局に網を介して接続された相手端末との間で移動通信する携帯通信端末において、他の携帯通信端末から無線送信された任意の送信先の送信信号を受信し、その受信信号の送信先が自端末でないときは、受信信号をそのまま送信先に中継送信する第２の通信手段を備えたことを特徴とする。この発明では、携帯通信端末は、他の携帯通信端末から送信された信号を中継すると同時に、最寄りの基地局を介して相手端末と移動通信することができる。
【００１４】
また、上記の目的を達成するため、第２の発明は、最寄りの基地局との間で無線通信する第１の通信手段を備え、基地局に網を介して接続された相手端末との間で移動通信する携帯通信端末において、他の携帯通信端末から無線送信された任意の送信先の送信信号を受信し、その受信信号の送信先が自端末でないときは、受信信号をそのまま送信先に中継送信する第２の通信手段と、人工衛星との間で通信する第３の通信手段と、自端末の位置情報及び移動情報と通信中の基地局の情報とを取得する取得手段と、取得した位置情報及び移動情報と通信中の基地局の情報を第３の通信手段を介して人工衛星へ送信し、第３の通信手段を介して受信した人工衛星から送信されたハンドオーバ情報に基づいて、相手端末との通信中に第１の通信手段又は第２の通信手段を選択して通信を行う制御手段とを有することを特徴とする。
【００１５】
この発明では、人工衛星から受信したハンドオーバ情報に基づいて、相手端末との通信中に第１の通信手段又は第２の通信手段を選択して通信を行うようにしたため、最適な通信状態の基地局を介して相手端末との通信ができる。
【００１６】
また、上記の目的を達成するため、第３の発明は、第１又は第２の発明の第２の通信手段が、受信した他の携帯通信端末から無線送信された送信信号の送信先が自端末であるときは、中継送信を行わず、受信信号の処理を行うことを特徴とする。
【００１７】
また、上記の目的を達成するため、第４の発明は、各々独自の無線ゾーンを有する複数の基地局と、複数の基地局のうち在圏する無線ゾーンを有する任意の基地局との間で無線通信すると共に、その任意の基地局に網を介して接続された相手端末との間で移動通信する携帯通信端末と、携帯通信端末との間で通信する人工衛星とからなるハンドオーバシステムであって、携帯通信端末は、最寄りの基地局との間で無線通信する第１の通信手段と、他の携帯通信端末から無線送信された任意の送信先の送信信号を受信し、その受信信号の送信先が自端末でないときは、受信信号をそのまま送信先に中継送信する第２の通信手段と、人工衛星との間で通信する第３の通信手段と、自端末の位置情報及び移動情報と通信中の基地局の情報とを取得する取得手段と、取得した位置情報及び移動情報と通信中の基地局の情報とを第３の通信手段を介して人工衛星へ送信し、第３の通信手段を介して受信した人工衛星から送信されたハンドオーバ情報に基づいて、相手端末との通信中に第１の通信手段又は第２の通信手段を選択して通信を行う制御手段とを有し、
人工衛星は、携帯通信端末から送信された位置情報及び移動情報と通信中の基地局の情報を受信する受信手段と、少なくとも受信した位置情報及び移動情報と通信中の基地局の情報と、移動情報が示す移動方向にある基地局の情報とに基づいて、ハンドオーバ情報を生成するハンドオーバ情報生成手段と、生成したハンドオーバ情報を携帯通信端末へ応答送信する送信手段とを有することを特徴とする。
【００１８】
この発明では、人工衛星が少なくとも携帯通信端末から受信した位置情報及び移動情報と通信中の基地局の情報と、移動情報が示す移動方向にある基地局の情報とに基づいて、ハンドオーバ情報を生成して携帯通信端末へ応答送信するようにしたため、携帯通信端末の移動方向にあるフェージング領域などを検出して、そのフェージング領域に対応した最適な基地局との通信を選択させるハンドオーバができる。
【００１９】
また、上記の目的を達成するため、第５の発明は、第４の発明のハンドオーバ情報生成手段を、移動情報が示す移動方向にあるフェージング領域を検出した時は、フェージング領域に隣接する複数の基地局の無線ゾーンのうち、携帯通信端末と良好な通信が可能な無線ゾーンを持つ基地局にハンドオーバさせるハンドオーバ情報を生成する構成としたことを特徴とする。
【００２０】
また、上記の目的を達成するため、第６の発明は、携帯通信端末は、ハンドオーバ先の基地局の無線ゾーンに在圏しない時は、ハンドオーバ先の基地局の無線ゾーンに在圏する他の携帯通信端末が備える第２の通信手段を用いて、他の携帯通信端末を中継局としてハンドオーバ先の基地局と無線通信することを特徴とする。この発明では、フェージング領域を移動する時にも、携帯通信端末はフェージング領域に隣接する基地局の無線ゾーンに在圏する他の携帯通信端末の中継通信機能を利用して、フェージング領域に隣接する基地局との間で無線通信ができる。
【発明の効果】
【００２１】
本発明によれば、他の携帯通信端末から送信された信号を中継すると同時に、最寄りの基地局を介して相手端末と移動通信することができるため、他の携帯通信端末が最寄りの基地局の無線ゾーンの圏外であっても実質的に最寄りの基地局の圏内に在圏するものとしての通信ができ、エリア拡大が容易にでき、基地局数を減らすこともできる。
【００２２】
また、本発明によれば、人工衛星が少なくとも携帯通信端末から受信した位置情報及び移動情報と通信中の基地局の情報と、移動情報が示す移動方向にある基地局の情報とに基づいて、ハンドオーバ情報を生成して携帯通信端末へ応答送信することで、携帯通信端末の移動方向にあるフェージング領域などを検出して、そのフェージング領域に対応した最適な基地局との通信を選択させるハンドオーバを行えるようにしたため、通常ならば、フェージング等の通信品質劣化による突然の通信断が発生し易い環境下であっても、効果的なハンドオーバを行うことができ、通信品質を向上することができる。
【発明を実施するための最良の形態】
【００２３】
次に、本発明の実施の形態について図面と共に説明する。図１及び図２は本発明になるハンドオーバシステムの一実施の形態における各使用例を示すシステム構成図、図３は本発明になる携帯通信端末の一実施の形態のブロック図を示す。
【００２４】
図３のブロック図は携帯通信端末の一例の携帯電話の構成を示しており、移動通信アンテナ３１を有する無線回路３４と、衛星用アンテナ３２を有する衛星信号送受信機３５と、電波中継用アンテナ３３を有する電波中継用無線回路３６とが、それぞれ制御回路３７に接続された構成とされており、３つの無線回路（送受信機）３４、３５及び３６を有する点に特徴がある。
【００２５】
無線回路３４及び電波中継用無線回路３６の構成自体は当業者にとってよく知られており、またそれらの動作は本発明とは直接関係しないので、それらの構成及び動作の詳細な説明は省略する。また、衛星信号送受信機３５は、本発明で使用する人工衛星（図２に１０で示す）との間で無線通信する送受信機であるが、その構成は通常の送受信機と同様であり、その詳細な説明は省略する。
【００２６】
なお、用途によって無線回路３４及び３６の２つに分けた理由は、例えば現在の移動通信システムで使用する２ＧＨｚ帯を、基地局のセクタによって数ＭＨｚ単位で使い分けており、一つの無線回路で複数の周波数帯を同時に使用することは実現が困難であるためである。
【００２７】
制御回路３７は、操作部３８、表示部３９、記憶部４０、送受話部４１及び情報取得部４２とも接続されており、記憶部４０に予め記憶されているプログラムに従い、この携帯電話全体を統括的に制御する。操作部３８は電話番号、メール文その他各種の情報を入力するための複数のキーからなる。表示部３９は、携帯通信端末が受信した信号の画像（文字、記号を含む）を画面に表示するもので、液晶表示素子及びその駆動回路などにより構成されている。また、記憶部４０は、動作制御用のプログラムを予め格納しており、また、制御回路３７の制御動作の際にデータが書き込まれ、読み出されるメモリである。
【００２８】
更に、送受話部４１は送話音声を音響−電気変換して送話音声信号を得るマイクや、受話音声信号を電気−音響変換して受話音声を発音したり、着信音や着信メロディを鳴動したりするスピーカなどからなる。また、情報取得部４２は、自己の位置情報、移動方位、移動速度を公知の手段で取得する。
【００２９】
まず、本発明になる携帯通信端末の電波中継機能について図１と共に説明する。図１において、基地局１はその無線ゾーン内に在圏する図３の構成の携帯電話２及び３とそれぞれ無線通信可能な状態にある。一方、基地局１は、地下街にいる携帯電話４及び５が自分の無線ゾーン（エリア）内に在圏しないため、圏外であり、従来は携帯電話４及び５との間で無線通信はできない。
【００３０】
一方、地下街にいる図３の構成の携帯電話４は、携帯電話３及び５の中間に位置し、携帯電話３からの電波を携帯電話５に中継し、かつ、携帯電話５からの電波を携帯電話３に中継できる距離にある。そこで、本実施の形態では、携帯電話５が相手端末と通話する場合は、携帯電話４及び携帯電話３を中継局として基地局１との間で無線通信する。すなわち、基地局１から携帯電話５を送信先として送信された信号は、携帯電話３の移動通信アンテナ３１を介して無線回路３４にて受信され、更に制御回路３７の制御の下、電波中継用無線回路３６及び電波中継用アンテナ３３を介して基地局１の無線ゾーンの外の携帯電話４に送信する。
【００３１】
携帯電話４は他の携帯電話（ここでは携帯電話３）から送信された無線信号は、その電波中継用アンテナ３３を介して電波中継用無線回路３６で受信し、その受信無線信号を制御回路３７の制御の下で増幅等の中継処理した後、再び携帯電話４の電波中継用無線回路３６から電波中継用アンテナ３３を介して送信先の携帯電話５へ送信する（すなわち、中継局として動作する）。携帯電話５も他の携帯電話（ここでは携帯電話４）から送信された無線信号は、その電波中継用アンテナ３３を介して電波中継用無線回路３６で受信するが、その受信無線信号が自己宛の無線信号であるので、制御回路３７で所定の受信処理を行う。
【００３２】
一方、携帯電話５から相手端末宛へ送信された信号は、携帯電話４の電波中継用アンテナ３３を介して電波中継用無線回路３６で受信され、その受信無線信号が制御回路３７の制御の下で中継処理されて、再び携帯電話４の電波中継用無線回路３６から電波中継用アンテナ３３を介して携帯電話３へ送信される（すなわち、中継局として動作する）。
【００３３】
携帯電話３は基地局１の無線ゾーン内に在圏しているので、基地局１との間では移動通信アンテナ３１を使用して無線通信し、他の携帯電話（ここでは携帯電話４）との間では電波中継用アンテナ３３を使用して電波中継をする。従って、携帯電話３は、上記の携帯電話４により中継送信された携帯電話５から相手端末宛の送信信号を、その電波中継用アンテナ３３を介して電波中継用無線回路３６で受信した後、制御回路３７の制御の下で無線回路３４及び移動通信アンテナ３１を介して基地局１へ無線送信する。基地局１は受信した携帯電話５から相手端末宛の送信信号を、従来の携帯電話システムと同様に、公衆網などを介して相手端末へ送信する。
【００３４】
このように、本実施の形態の携帯通信端末である携帯電話は、基地局の無線ゾーンの外の圏外に位置していても、基地局の無線ゾーン内に在圏する携帯電話との間で、電波中継可能距離範囲内に本実施の形態の他の携帯電話が存在する場合は、当該他の携帯電話を中継局として用いて基地局との間で通信ができ、更にはその基地局を介在させて相手端末と移動通信することができる。これにより、他の携帯電話が最寄りの基地局の無線ゾーンの圏外であっても実質的に最寄りの基地局の圏内に在圏するものとしての通信ができ、エリア拡大が容易にでき、基地局数を減らすこともできる。
【００３５】
なお、この実施の形態では、中継局となる携帯電話４は基地局１の無線ゾーンの外に位置しているので、基地局１との間では直接無線通信することはできないが、中継局となる携帯電話が別の基地局の無線ゾーンに在圏するときには、中継局としての動作と同時に、別の基地局との間で無線通信して相手端末との間で電話通信することもできる点で従来のアドホックネットワークを構成する携帯通信端末と相違する。更に、この実施の形態では、携帯電話自体に電波の中継機能を持たせるようにしたため、基地局が必要なエリアに対して、基地局の設置台数を削減することもできる。
【００３６】
次に、本発明の携帯通信端末を用いたハンドオーバシステムについて説明する。図２はこの本発明になるハンドオーバシステムの一実施の形態のシステム構成図を示す。同図において、人工衛星１０は、携帯通信端末との間で通信する機能を有し、携帯通信端末から送信された、携帯通信端末の位置情報、移動方位、移動速度、通信中の基地局の情報などを受信してこれに基づいて、その携帯通信端末の移動方向にあるフェージング領域を認識し、それに基づいてハンドオーバすべきタイミングやハンドオーバ先の基地局などの情報を携帯通信端末へ返送する判断及び送信手段を有している。
【００３７】
人工衛星１０は、例えば既存のＧＰＳ衛星と同様に、同一構成の人工衛星１０を複数個、低周回軌道上に新たに打ち上げる必要があるが、既存のＧＰＳ衛星を改変してもよく、また静止軌道上に打ち上げてもよい。
【００３８】
図２において、基地局１１、１２及び１３は、それぞれ独自の無線ゾーン１４、１５及び１６を有し、自己の無線ゾーンに在圏する携帯通信端末（ここでは、携帯電話２１等）との間で無線通信する機能を有することは従来の基地局と同様である。ここで、基地局１２付近には物障害１８が存在し、それにより基地局１２と基地局１３との間に、無線ゾーンが存在しないフェージング領域１７が存在するものとする。
【００３９】
この状態において、基地局１１の無線ゾーン１４内に在圏する、図３の構成の携帯電話２１が、基地局１１を介して相手端末と通話しながら、基地局１３の無線ゾーン１６方向へ移動する場合、携帯電話２１は情報取得部４２により自己の位置情報を取得し（例えばＧＰＳ信号を受信して演算により取得してもよいし、位置登録要求した基地局１１の位置情報から計算してもよいし、複数の基地局との間の電界強度差とそれらの基地局の位置情報とに基づいて演算してもよい）、また、例えば、センサを用いるなどして、移動方位及び移動速度を取得し、更に現在通信中の基地局１１の基地局情報（位置その他））を取得し、これら取得した各種の情報を図３の制御回路３７の制御の下、衛星信号送受信機３５から衛星用アンテナ３２を介して人工衛星１０へ送信する。
【００４０】
人工衛星１０は、この信号を受信すると、受信情報と移動先の基地局１３の無線ゾーン内の情報に基づいて、携帯電話２１の移動方向に存在する前記フェージング領域１７を検出し、更に、このフェージング領域１７におけるハンドオーバ情報を生成して、送信元の携帯電話２１へ返送する。携帯電話２１は人工衛星から送信された上記のハンドオーバ情報を、衛星用アンテナ３２を介して衛星信号送受信機３５で受信し、制御回路３７を介して記憶部４０に記憶する。
【００４１】
携帯電話２１が基地局１２の無線ゾーン１５に入ると、通常ならば、基地局１２に対しハンドオーバをするところだが、携帯電話２１の移動先には物障害１８によるフェージング領域１７があるため、通信劣化が引き起こされる可能性がある。そのため、人工衛星１０から送信された前記ハンドオーバ情報は、基地局１２ではなく、電波状況の良い基地局１３に対しハンドオーバすることを指示しているので、携帯電話２１はそのハンドオーバ情報に基づいて、無線ゾーン１５に入ると、基地局１３にハンドオーバする。
【００４２】
ここで、無線ゾーン１５内は基地局１３の無線ゾーン１６の圏外であるが、無線ゾーン１６に在圏する図３の構成の携帯電話２２が前記の中継局として動作し、無線ゾーン１５内の位置Ａにある移動中の携帯電話２１に対しては、携帯電話２２を介して基地局１３との間で無線通信する。その後、フェージング領域１７内の位置Ｂにある移動中の携帯電話２１に対しては、携帯電話２２又は２３を介して基地局１３との間で無線通信し、フェージング領域１７内の位置Ｃにある移動中の携帯電話２１に対しては、携帯電話２２、２３又は２４を介して基地局１３との間で無線通信して、無線ゾーン１６内に入る。無線ゾーン１６に入った携帯電話２１は基地局１３との間で直接無線通信する。
【００４３】
従来のハンドオーバは基地局からの送信パワーの強弱に基づいてハンドオーバを行っているため、突然通信劣化する場合があるが、本実施の形態では、移動方向に存在するフェージング領域１７を認識して、そのフェージング領域１７に対応した最適な基地局との通信を選択させるハンドオーバを行えるようにしたため、通常ならば、フェージング等の通信品質劣化による通信断が発生し易い環境下であっても、効果的なハンドオーバを行うことができ、通信品質を向上することができる。また、上記のフェージング領域１７がリアルタイムに変化しても、本発明では、携帯通信端末からの情報に基づいてそれに対応することができる。
【００４４】
なお、上記の実施の形態では携帯電話について説明したが、本発明はこれに限定されるものではなく、例えば簡易型携帯電話機（ＰＨＳ；Personal Handyphone System）や携帯型情報機器（ＰＤＡ；Personal Digital Assistants）などの他の携帯通信端末も本発明を適用することができる。
【図面の簡単な説明】
【００４５】
【図１】本発明の携帯通信端末による中継機能の説明図である。
【図２】本発明のハンドオーバシステムの一実施の形態のシステム構成図である。
【図３】本発明の携帯通信端末の一実施の形態のブロック図である。
【符号の説明】
【００４６】
１、１１、１２、１３  基地局
２〜５、２１〜２４  携帯電話
１０  人工衛星
１４〜１６  無線ゾーン
１７  フェージング領域
１８  物障害
３１  移動通信アンテナ
３２  衛星用アンテナ
３３  電波中継用アンテナ
３４  無線回路
３５  衛星信号送受信機
３６  電波中継用無線回路
３７  制御回路
３８  操作部
３９  表示部
４０  記憶部
４１  送受話部
４２  情報取得部
【図１】
2006211286.tif 000003
【図２】
2006211286.tif 000004
【図３】
2006211286.tif 000005